【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
画像復号方法であって、
現在ブロックのマージ候補リストから初期動きベクトルを導出するステップと、
前記初期動きベクトルを用いて、補正された動きベクトルを導出するステップと、
前記補正された動きベクトルを用いて前記現在ブロックの予測ブロックを生成するステップと、
を含み、
前記初期動きベクトルは、初期動きベクトルインデックス情報によって指示されるマージ候補から導出される、
画像復号方法。
【請求項２】
前記初期動きベクトルを導出するステップは、
前記初期動きベクトルインデックス情報が復号されないときには、前記マージ候補リストの所定の番号に対応するマージ候補を初期動きベクトルとして導出する、
請求項１に記載の画像復号方法。
【請求項３】
前記所定の番号に対応するマージ候補は、前記マージ候補リストの第１のマージ候補である、
請求項２に記載の画像復号方法。
【請求項４】
前記補正された動きベクトルを導出するステップは、参照ピクチャの所定の領域内のピクセルを示す動きベクトルを、前記補正された動きベクトルとして導出する、
請求項１に記載の画像復号方法。
【請求項５】
前記所定の領域は、前記初期動きベクトルによって指示される前記参照ピクチャのピクセル位置を中心に、クロス、正方形、ダイヤモンド及びヘキサゴン形状のうちの少なくとも一つを有する領域に決定される、
請求項４に記載の画像復号方法。
【請求項６】
マージモード使用情報を取得するステップと、
前記マージモード使用情報に基づいて、マージモードに基づく動きベクトル補正使用情報を取得するステップと、
をさらに含む、
請求項１に記載の画像復号方法。
【請求項７】
画像符号化方法であって、
現在ブロックのマージ候補リストから初期動きベクトルを導出するステップと、
前記初期動きベクトルを用いて、補正された動きベクトルを導出するステップと、
前記補正された動きベクトルを用いて、前記現在ブロックの予測ブロックを生成するステップと、
前記マージ候補リスト内の前記初期動きベクトルとして使用されるマージ候補を示す初期動きベクトルインデックス情報を符号化するステップと、
を含む画像符号化方法。
【請求項８】
前記補正された動きベクトルを導出するステップは、参照ピクチャの所定の領域内のピクセルを示す動きベクトルを、前記補正された動きベクトルとして導出する、
請求項７に記載の画像符号化方法。
【請求項９】
前記所定の領域は、前記初期動きベクトルによって指示される参照ピクチャのピクセル位置を中心に、クロス、正方形、ダイヤモンド及びヘキサゴン形状のうちの少なくとも一つを有する領域に決定される、
請求項７に記載の画像符号化方法。
【請求項１０】
マージモード使用情報を符号化するステップと、
前記マージモード使用情報に基づいて、マージモードに基づく動きベクトル補正使用情報を符号化するステップと、
をさらに含む、
請求項７に記載の画像符号化方法。
【請求項１１】
画像復号装置によって復号された、初期動きベクトルインデックス情報を含むビットストリームを記憶し、
前記初期動きベクトルインデックス情報は、現在ブロックのマージ候補リストの中で初期動きベクトルを示すために使用され、
前記初期動きベクトルは、前記補正された動きベクトルを導出するために使用される、
非一時的なコンピュータ可読記録媒体。
【手続補正２】
【補正対象書類名】明細書
【補正対象項目名】００８６
【補正方法】変更
【補正の内容】
【００８６】
減算器１２５は、入力ブロックと予測ブロックとの間の差分を用いて残余ブロック（ｒｅｓｉｄｕａｌ  ｂｌｏｃｋ）を生成することができる。残余ブロックは残余信号とも称される。残余信号は、原信号と予測信号との差（ｄｉｆｆｅｒｅｎｃｅ）を意味することができる。または、残余信号は、原信号と予測信号との差を変換（ｔｒａｎｓｆｏｒｍ）するか、量子化するか、または変換及び量子化することにより生成された信号であり得る。残余ブロックはブロック単位の残余信号であり得る。
【手続補正３】
【補正対象書類名】明細書
【補正対象項目名】０１１２
【補正方法】変更
【補正の内容】
【０１１２】
加算器２５５は、復元された残余ブロック及び予測ブロックを加算して復元ブロックを生成することができる。フィルタ部２６０は、デブロッキングフィルタ、サンプル適応的オフセット及び適応的ループフィルタのうちの少なくとも一つを復元ブロック又は復元画像に適用することができる。フィルタ部２６０は復元画像を出力することができる。復元ブロック又は復元画像は、参照ピクチャバッファ２７０に保存されてインター予測に使用できる。
【手続補正４】
【補正対象書類名】明細書
【補正対象項目名】０１２０
【補正方法】変更
【補正の内容】
【０１２０】
例えば、一つの符号化ユニットが２つの符号化ユニットに分割される場合、分割された２つの符号化ユニットの横幅或いは縦幅は、分割される前の符号化ユニットの横幅或いは縦幅と比較して半分のサイズを持つことができる。一例として、３２×３２サイズの符号化ユニットが２つの符号化ユニットに縦分割される場合、分割された２つの符号化ユニットは、それぞれ１６×３２のサイズを持つことができる。一つの符号化ユニットが２つの符号化ユニットに分割される場合、符号化ユニットは二分木（ｂｉｎａｒｙ−ｔｒｅｅ）状に分割されたといえる。図３のＬＣＵ３１０は、四分木分割及び二分木分割が全て適用されたＬＣＵの一例である。
【手続補正５】
【補正対象書類名】明細書
【補正対象項目名】０１５３
【補正方法】変更
【補正の内容】
【０１５３】
図７を参照すると、現在画像の対応位置画像（ｃｏｌｌｏｃａｔｅｄ  ｐｉｃｔｕｒｅ）において、現在ブロックＸと空間的に同じ位置に対応するブロックの外部位置を含むブロック、又は現在ブロックＸと空間的に同じ位置に対応するブロックの内部位置を含むブロックから、現在ブロックの時間マージ候補を導出することができる。ここで、時間マージ候補は、対応位置ブロックの動き情報を意味することができる。一例として、現在ブロックＸの時間マージ候補は、現在ブロックと空間的に同じ位置に対応するブロックＣの右下隅に隣接するブロックＨ、又はブロックＣの中心点を含むブロックＣ３から導出できる。現在ブロックの時間マージ候補を導出するために使用されるブロックＨ又はブロックＣ３などを、「対応位置ブロック（ｃｏｌｌｏｃａｔｅｄ  ｂｌｏｃｋ）」と呼ぶことができる。
【手続補正６】
【補正対象書類名】明細書
【補正対象項目名】０３２２
【補正方法】変更
【補正の内容】
【０３２２】
参照ピクチャ内のテンプレートと現在ブロックの周辺テンプレート間のエラーを計算するにあたり、歪み値及び動きベクトルに対するコスト値のうちの少なくとも一つを考慮して、エラーを計算することができる。
【手続補正７】
【補正対象書類名】明細書
【補正対象項目名】０３４６
【補正方法】変更
【補正の内容】
【０３４６】
スケーリングの一例として、Ｌ１参照ピクチャリスト内の参照ピクチャのうち、Ｌ０動きベクトルが指示する参照ピクチャと同じＰＯＣを持つ参照ピクチャを除き、現在ピクチャとの差が最も小さいＰＯＣを持つピクチャに基づいてＰＯＣの差を考慮してスケーリングしたＬ０動きベクトルを、Ｌ１方向動きベクトルとして導出することができる。